(57)【要約】【課題】  中心間隔で９０ｃｍ毎に支柱を配した間仕切壁において、バリアーフリー法を満たす８０ｃｍ以上の有効間口を確保した引戸装置を提供する。【解決手段】  所定間隔毎に立設した支柱１間にパネル体２を装着した構造の間仕切壁Ａにおいて、一対の支柱間を開放して出入口とし、出入口を構成する両支柱及び一方の支柱に隣接する他の支柱を用い、これら３本の支柱の上部で表裏一側面に渡って、レール１２を前面に有するレール部材４を横設し、引戸３の上端両側部に設けた吊車１３をレールに吊支して左右移動可能とし、引戸の下端に沿って設けた下方開放の凹溝部１４内に、中央部の支柱の近傍で下端前方位置に設けた水平回転可能なガイドローラ６を受け入れて案内するとともに、引戸の少なくとも全開時に凹溝部の終端に前記ガイドローラの支持台１５に直接又は緩衝部材を介して当止してなる。【選択図】        図２
2009174293.tif 000002
【特許請求の範囲】
【請求項１】
所定間隔毎に立設した支柱間にパネル体を装着した構造の間仕切壁あるいは所定間隔毎に立設した両側支柱の表裏両面又は片面にパネル板を取付けた構造の間仕切壁において、一対の支柱間を開放して出入口とし、該出入口を構成する両支柱及び一方の支柱に隣接する他の支柱を用い、これら３本の支柱の上部で表裏一側面に渡って、レールを前面に有するレール部材を横設し、前記出入口を閉鎖し得る横幅を有する引戸の上端両側部に設けた吊車を前記レールに吊支して左右移動可能とし、前記引戸の下端に沿って設けた下方開放の凹溝部内に、中央部の支柱の近傍で下端前方位置に設けた水平回転可能なガイドローラを受け入れて案内するとともに、前記引戸の少なくとも全開時に前記凹溝部の終端に前記ガイドローラの支持台に直接又は緩衝部材を介して当止してなることを特徴とする間仕切壁における引戸装置。
【請求項２】
前記間仕切壁は、所定間隔毎に立設した支柱間に、該支柱よりも奥行き方向の厚さが小さなパネル体を装着した構造であり、出入口を構成する一対の支柱の上部間に、一側面が該支柱の表裏一側面と略面一になるようにビーム部材を架設するとともに、出入口を構成する一方の支柱と該支柱に隣接する他の支柱との間に位置する前記パネル体の表面で、前記ビーム部材と略同じ高さ位置に、該支柱とパネル体の段差を埋めるレール受けを取付け、表裏一側面側で３本の支柱とその間に設けた前記ビーム部材とレール受けを略面一とし、前記ビーム部材とレール受けに沿わせた状態で、３本の支柱に跨って前記レール部材をネジ止めしてなる請求項１記載の間仕切壁における引戸装置。
【請求項３】
前記引戸の戸先側端部に設けたエッジ部材の表裏両面に上下方向に延びた凹溝を形成して引手部としてなる請求項１又は２記載の間仕切壁における引戸装置。
【請求項４】
３本の支柱のうち中央部の前記支柱に施錠杆が前記引戸の戸尻側に向けて出没する施錠具を設けるとともに、前記引戸の戸尻側表面に施錠状態の施錠杆を押し戻して解除する解除機能と施錠機能を備える操作具を設けてなる請求項１〜３何れかに記載の間仕切壁における引戸装置。
【請求項５】
前記引戸の上端両側部に吊支部材を介して前記吊車を設け、前記レール部材に引戸が全閉状態で戸先側の吊支部材を当止するストッパーを取付けてなる請求項１〜４何れかに記載の間仕切壁における引戸装置。
【請求項６】
隣接する両支柱の中心間隔が９０ｃｍであり、前記引戸の全開時の有効間口を８０ｃｍ以上となるように寸法設定してなる請求項１〜５何れかに記載の間仕切壁における引戸装置。
【発明の詳細な説明】
【技術分野】
【０００１】
本発明は、間仕切壁における引戸装置に係わり、更に詳しくはバリアーフリー法を満たす有効間口を設けることが可能な間仕切壁における引戸装置に関するものである。
【背景技術】
【０００２】
従来から、間仕切壁の一部に出入口となる開閉扉を設けることは周知であり、開閉扉として回動扉や引戸が用いられている。高齢者、障害者等の移動等の円滑化の促進に関する法律（バリアーフリー法）では、建築物に、不特定かつ多数の者が利用し、又は主として高齢者、障害者等が利用する居室を設ける場合等には、出入口の幅を８０ｃｍ以上にすること、戸を設ける場合には、車椅子使用者が容易に開閉して通過できる構造とし、かつ、その前後に高低差がないことが要求されている。従って、バリアーフリー法を満たすために、間仕切壁の出入口には通常は吊下げ式の引戸が設けられることが多い。
【０００３】
通常の引戸装置は、特許文献１に開示されているように、引戸枠部材と、該枠部材の一側に形成された戸袋内に収納される引戸扉と、戸袋とより構成されている。引戸扉の戸先部の表裏に設ける把手部分としては、一般的に丸パイプを略Ｕ字状に曲げて形成するものが多いが、把手と戸袋入口の引戸枠との間での指詰めを防止するために、開放時の引き残し部分を十分に設ける必要があった。それを改善するために、特許文献１に記載のものは、引戸扉表面材の適所に、摩擦抵抗の大なる平板部材を貼着して把手部分としたのである。
【０００４】
ここで、特許文献２には、引戸を構成する表面板の一側端に沿った上下全長に、溝部又は凸部を設けて把手とした構造が開示されている。また、特許文献３には、左右方向くガイドレールに上端部を吊支されて移動する引戸本体における戸当り側の側端縁に、前記引戸本体の上下長とほぼ等長をなすとともに、前後面にほぼ全長に亘って１対の把手部を有する縁材を取付けた引戸が開示されている。
【０００５】
一方、所定間隔毎に立設した支柱間にパネル体を装着した構造の間仕切壁あるいは所定間隔毎に立設した両側支柱の表裏両面又は片面にパネル板を取付けた構造の間仕切壁において、一対の支柱間を開放して出入口を設け、該出入口を開閉する引戸を間仕切壁に設ける場合、引戸を全開しても十分広い有効間口を確保することは難しい。その理由は、通常の普及型の間仕切壁においては、支柱は中心間隔で９０ｃｍに設定され、それに応じて横桟やパネル体等の寸法が決められているため、出入口の支柱間隔のみを広げることは現実的ではなく、正味の支柱間隔が最大でも高々８５ｃｍであり、しかも把手や施錠装置を設けるため最低限の引き残し幅を確保する必要があるからである。従来、把手部分を工夫して有効間口を広げる試みがなされているが、中心間隔で９０ｃｍの支柱を備えた間仕切壁において、バリアーフリー法を満たす有効間口８０ｃｍ以上の引戸装置を設けたものは提供されてなかった。また、既設の間仕切壁に後施工にて引戸装置を設ける場合も同様である。
【特許文献１】特開２００７−０９２３９４号公報
【特許文献２】特開２００３−２１３９７４号公報
【特許文献３】特開２００１−１４６８７８号公報
【発明の開示】
【発明が解決しようとする課題】
【０００６】
そこで、本発明が前述の状況に鑑み、解決しようとするところは、中心間隔で９０ｃｍ毎に支柱を配した間仕切壁において、バリアーフリー法を満たす８０ｃｍ以上の有効間口を確保した引戸装置を提供する点にある。
【課題を解決するための手段】
【０００７】
本発明は、前述の課題解決のために、所定間隔毎に立設した支柱間にパネル体を装着した構造の間仕切壁あるいは所定間隔毎に立設した両側支柱の表裏両面又は片面にパネル板を取付けた構造の間仕切壁において、一対の支柱間を開放して出入口とし、該出入口を構成する両支柱及び一方の支柱に隣接する他の支柱を用い、これら３本の支柱の上部で表裏一側面に渡って、レールを前面に有するレール部材を横設し、前記出入口を閉鎖し得る横幅を有する引戸の上端両側部に設けた吊車を前記レールに吊支して左右移動可能とし、前記引戸の下端に沿って設けた下方開放の凹溝部内に、中央部の支柱の近傍で下端前方位置に設けた水平回転可能なガイドローラを受け入れて案内するとともに、前記引戸の少なくとも全開時に前記凹溝部の終端に前記ガイドローラの支持台に直接又は緩衝部材を介して当止してなることを特徴とする間仕切壁における引戸装置を構成した（請求項１）。
【０００８】
ここで、前記間仕切壁は、所定間隔毎に立設した支柱間に、該支柱よりも奥行き方向の厚さが小さなパネル体を装着した構造であり、出入口を構成する一対の支柱の上部間に、一側面が該支柱の表裏一側面と略面一になるようにビーム部材を架設するとともに、出入口を構成する一方の支柱と該支柱に隣接する他の支柱との間に位置する前記パネル体の表面で、前記ビーム部材と略同じ高さ位置に、該支柱とパネル体の段差を埋めるレール受けを取付け、表裏一側面側で３本の支柱とその間に設けた前記ビーム部材とレール受けを略面一とし、前記ビーム部材とレール受けに沿わせた状態で、３本の支柱に跨って前記レール部材をネジ止めしてなることが好ましい（請求項２）。
【０００９】
また、前記引戸の戸先側端部に設けたエッジ部材の表裏両面に上下方向に延びた凹溝を形成して引手部としてなることが好ましい（請求項３）。
【００１０】
更に、３本の支柱のうち中央部の前記支柱に施錠杆が前記引戸の戸尻側に向けて出没する施錠具を設けるとともに、前記引戸の戸尻側表面に施錠状態の施錠杆を押し戻して解除する解除機能と施錠機能を備える操作具を設けてなることも好ましい（請求項４）。
【００１１】
また、前記引戸の上端両側部に吊支部材を介して前記吊車を設け、前記レール部材に引戸が全閉状態で戸先側の吊支部材を当止するストッパーを取付けてなることも好ましい（請求項５）。
【００１２】
そして、隣接する両支柱の中心間隔が９０ｃｍであり、前記引戸の全開時の有効間口を８０ｃｍ以上となるように寸法設定してなるのである（請求項６）。
【発明の効果】
【００１３】
以上にしてなる請求項１に係る発明の間仕切壁における引戸装置は、間仕切壁の一対の支柱間を開放して出入口とし、引戸を間仕切壁の一側面側に突出して配置し、引き違い可能な構造としたことにより、有効間口を最大にすることができ、しかも一対の支柱間を開放し、上部にレール部材を横設して引戸を吊下げ式に設けるので、施工が容易であり、既設の間仕切壁にも後施工によって簡単に引戸装置を設けることができる。また、３本の支柱のうち中央部の支柱の下端近傍に設けたガイドローラを引戸下端に設けた凹溝部内に受け入れて案内するので、引戸の開閉時の動作が安定であるとともに、出入口の床面に高低差がないので、バリアーフリー法に適合したものとなる。例えば、支柱の中心間隔が９０ｃｍで、支柱の横幅が５ｃｍとした場合、引戸の引き残し幅を５ｃｍ以下にすれば、有効間口８０ｃｍを確保できるのである。
【００１４】
請求項２によれば、支柱とパネル体の表面とに段差があっても、その段差をレール受けによって埋めることができるので、レール部材の取付強度が高くなるとともに、出入口の上部枠をビーム部材で構成するので外観性にも優れたものとなる。具体的には、既設の間仕切壁からパネル体を一枚取り除き、その取り除いた両支柱の上部間にビーム部材を取付けるとともに、隣接するパネル体の上部表面にレール受けを取付けて、表裏一側面側で３本の支柱とその間に設けた前記ビーム部材とレール受けを略面一としたことにより、ビーム部材とレール受けに沿わせた状態で、３本の支柱に跨ってレール部材を確実にネジ止めすることができ、レール部材の取付強度が高くなるのである。
【００１５】
請求項３によれば、前記引戸の戸先側端部に設けたエッジ部材の表裏両面に上下方向に延びた凹溝を形成して引手部としてなることにより、引戸が全開時における引き残し幅を最小にすることが可能であるとともに、引手部が引戸の上下全高に渡って設けられるので、背の高さが大きく異なっても、また車椅子使用者も最適な位置を持って開閉操作することができる。
【００１６】
請求項４によれば、３本の支柱のうち中央部の前記支柱に施錠杆が前記引戸の戸尻側に向けて出没する施錠具を設けるとともに、前記引戸の戸尻側表面に施錠状態の施錠杆を押し戻して解除する解除機能と施錠機能を備える操作具を設けてなるので、間仕切壁の支柱と引戸が引き違い可能な配置となっていても、最小の引き残し幅に設定しても、引戸の閉止時に引戸の戸尻側と支柱の重なり部分を利用して施錠装置を設けることができる。つまり、引戸の全閉時の戸尻の位置をガイドローラと凹溝部との係合関係で固定することで、下部にレールがない引戸においても引き違い戸錠で施錠可能となる。
【００１７】
請求項５によれば、前記引戸の上端両側部に吊支部材を介して前記吊車を設け、前記レール部材に引戸が全閉状態で戸先側の吊支部材を当止するストッパーを取付けてなるので、引戸が全閉時に急停止した際に、その慣性力によって引戸に面内回転力が生じないようになり、吊車がレールから外れることを防止できる。
【発明を実施するための最良の形態】
【００１８】
次に、添付図面に示した実施形態に基づき、本発明を更に詳細に説明する。図１は、本発明に係る間仕切壁における引戸装置の簡略正面図、図２〜図１２は本発明の要部を示し、図中符号Ａは間仕切壁、Ｂは引戸装置、１は支柱、２はパネル体、３は引戸、４はレール部材、５はビーム部材、６はガイドローラをそれぞれ示している。
【００１９】
本実施形態に係る間仕切壁Ａは、簡易間仕切に属するものであり、床面Ｆ上に一定間隔毎に支柱１，…を立設し、隣接する支柱１，１間にパネル体２を装着した構造である。ここで、前記パネル体２は、その上端と天井Ｓ間に連結ビーム７を介して欄間パネル８を積層して構成している。前記支柱１の両側面には係合溝９，９を形成し、前記パネル体２と欄間パネル８の両側端を嵌合して保持し、前記パネル体２と欄間パネル８とは互いの上下端面に形成した溝内に前記連結ビーム７を嵌合する。また、通常は、前記支柱１の上端を天井Ｓに固定した天レール１０内に嵌合して保持し、隣接する支柱１，１の下端間にはアジャスター機能を備えた巾木１１を設ける。また、本実施形態では前記間仕切壁Ａは、所定間隔毎に立設した支柱１，１間に、該支柱１よりも奥行き方向の厚さが小さなパネル体２と欄間パネル８を装着した構造である。
【００２０】
隣接する前記支柱１，１の中心間の間隔は、通常９０ｃｍに設定されている。また、本実施形態では、前記支柱１は断面形状が一辺５ｃｍの正方形で、アルミ押出し型材で構成している。前記パネル体２は、スチール製の表裏パネル板間に紙製ハニカムを接着した軽量構造であり、前記引戸３も同様なパネル構造となっている。
【００２１】
本発明に係る間仕切壁における引戸装置Ｂは、図２及び図３に示すように、所定間隔毎に立設した支柱１，１間にパネル体２を装着した構造の間仕切壁Ａあるいは所定間隔毎に立設した両側支柱の表裏両面又は片面にパネル板を取付けた構造の間仕切壁において、一対の支柱１，１間を開放して出入口Ｅとし、該出入口Ｅを構成する両支柱１，１及び一方の支柱に隣接する他の支柱１を用い、これら３本の支柱の上部で表裏一側面に渡って、レール１２を前面に有するレール部材４を横設し、前記出入口Ｅを閉鎖し得る横幅を有する引戸３の上端両側部に設けた吊車１３，１３を前記レール１２に吊支して左右移動可能とし、前記引戸３の下端に沿って設けた下方開放の凹溝部１４内に、中央部の支柱１の近傍で下端前方位置に設けた水平回転可能なガイドローラ６を受け入れて案内するとともに、前記引戸３の少なくとも全開時に前記凹溝部１４の終端に前記ガイドローラ６の支持台１５に直接又は緩衝部材を介して当止してなるものである。
【００２２】
ここで、出入口Ｅを構成する一対の支柱１，１の上部間に、一側面が該支柱１の表裏一側面と略面一になるようにビーム部材５を架設するとともに、出入口Ｅを構成する一方の支柱１と該支柱１に隣接する他の支柱１との間に位置する前記パネル体２の表面で、前記ビーム部材５と略同じ高さ位置に、該支柱１とパネル体２の段差を埋めるレール受け５Ａを取付け、表裏一側面側で３本の支柱１とその間に設けた前記ビーム部材５とレール受け５Ａを略面一とし、前記ビーム部材５とレール受け５Ａに沿わせた状態で、３本の支柱１，…に跨って前記レール部材４をネジ止めして横設するのである。そして、前記レール受け５Ａを取付けた前記パネル体２の前面は、前記引戸３を開放した際に該引戸３を収容する空間となる。
【００２３】
前記レール部材４は、図２、図３及び図４に示すように、垂直な基板１６の上縁に水平な上板１７を一体形成した断面逆Ｌ字状のアルミ押出し型材で構成し、前記レール１２は基板１６の下部に前記上板１７と同じ方向に向けて突設している。
【００２４】
前記ビーム部材５は、図２、図４〜図６に示すように、断面形状が上下方向に長い略長方形のアルミ押出し型材で構成し、上下面に長さ方向に凹溝１８，１８を形成したものである。そして、３本の前記支柱１，…の上部で隣接する支柱１，１間に、一側面が該支柱１の表裏一側面と略面一になるようにビーム部材５を架設するのである。そうすることによって、前記支柱１，…の一側面とビーム部材５の一側面が略面一となり、この面側で両ビーム部材５，５に沿わせて前記レール部材４をネジ止めして固定するのである。ここで、前記ビーム部材５の一側面の下縁に沿って突縁１９を突設することにより、該突縁１９に前記レール部材４の基板１６の下端が当止し、正確且つ確実にレール部材４を保持することができる。また、前記ビーム部材５の内部の下方位置には、両側面板を連結する補強板５００を渡設している。
【００２５】
前記レール受け５Ａは、図４、図５及び図７に示すように、断面形状が上下方向に長い偏平なアルミ押出し型材で構成し、前記支柱１とパネル体２の表面との段差を埋める厚さを有し、前記レール部材４を取付ける固定板５０１の上下縁に後方へ向けて上片５０２と下片５０３を形成するとともに、固定板５０１の背面に前記パネル体２の表面に当接する保高部５０４を一体形成し、更に前記固定板５０１の表面下縁に沿って前記突縁１９と同様の突縁５０５を形成したものである。
【００２６】
そして、前記ビーム部材５の端部を支柱１の側面に連結するには、Ｌ字状金具２０を用いて連結し、前記レール受け５Ａの端部を支柱１の側面に連結するには、コ字状金具２１を用いて連結する。前記ビーム部材５とレール受け５Ａに沿わせた状態で前記レール部材４を取付けるので、該レール部材４で引戸３を吊下げ式に支持する場合には、前記ビーム部材５とレール受け５Ａが確実に固定されている必要がある。
【００２７】
前記Ｌ字状金具２０は、前記ビーム部材５の補強板５００にネジ止めする水平板２０１と、前記支柱１の係合溝９内にネジ止めする下方へ向いた垂直板２０２とを有し、予め前記ビーム部材５の端部から水平板２０１を補強板５００の下側に挿入し、該水平板２０１を補強板５００にネジ２０３，２０３にて固定しておき、前記垂直板２０２を前記支柱１の係合溝９に嵌合した状態でネジ２０４，２０４にて取付ける。尚、前記水平板２０１にはネジ２０３，２０３を螺合する螺孔２０５，２０５を形成し、前記垂直板２０２にはネジ２０４，２０４を挿通する通孔２０６，２０６を形成している。また、前記ビーム部材５の両端部であって、前記補強板５００にネジ２０３，２０３を挿通する通孔２０７，２０７を形成するとともに、その直上の凹溝１８内には、前記ネジ２０３，２０３とドライバーを挿入するための挿通孔２０８，２０８を形成している。
【００２８】
前記コ字状金具２１は、前記支柱１の係合溝９の外側に位置する側面コーナー部にネジ止めして取付ける横幅の狭い固定部２１１と、該固定部２１１の上下端に平行に屈曲した上取付片２１２と下取付片２１３とを有し、前記固定部２１１には支柱１へ取付けるネジ２１４，２１４を挿通する通孔２１５，２１５を形成し、前記上取付片２１２と下取付片２１３にはそれぞれ前記レール受け５Ａをネジ２１６，２１６にて固定するための螺孔２１７，２１７を形成している。そして、前記コ字状金具２１の固定部２１１を前記パネル体２の前面の支柱１側面にネジ２１４，２１４で取付けた後、前記レール受け５Ａを前面側から前記パネル体２の前面に接合し、上片５０２と下片５０３の間に上取付片２１２と下取付片２１３を受け入れ、前記上片５０２の端部に形成した通孔５０６に上方から通したネジ２１６を上取付片２１２の螺孔２１７に螺合するとともに、前記下片５０３の端部に形成した通孔５０７に下方から通したネジ２１６を下取付片２１３の螺孔２１７に螺合して取付ける。
【００２９】
そして、前記ビーム部材５とレール受け５Ａに、前記レール部材４の基板１６を接合し、各突縁１９，５０５に当止して沿わせた状態で、３本の支柱１，…に跨って前記レール部材４をネジ２２，…にて取付ける。このように、前記ビーム部材５の一側面、レール受け５Ａの固定板５０１、支柱１，…の前面は略面一になっているので、前記レール部材４の基板１６を接合して強固にネジ止めすることができる。
【００３０】
前記パネル体２の上端面の中央には、長手方向に凹溝２３が形成されており、該凹溝２３に連結ビーム７を嵌合するとともに、該連結ビーム７に前記欄間パネル８の下端面に設けた同様の凹溝２３に嵌合して連結する。尚、前記パネル体２自体も上下に複数に分割した分割パネル２Ａ，…を積層して構成することもある。
【００３１】
前記引戸３は、図２、図３及び図１０に示すように、下端に沿って下方開放の凹溝部１４を設けるとともに、戸先側端部にエッジ部材２４を設け、該エッジ部材２４の表裏両面に上下方向に延びた凹溝を形成して引手部２５，２５としている。そして、前記引戸３の上端両側部に吊支部材２６，２６を介して吊車１３，１３を設け、前記レール１２の上を転動するようになっている。つまり、前記引戸３は吊下げ式であり、下端は床面Ｆに接触しないようになっている。
【００３２】
そして、図９及び図１０に示すように、前記出入口Ｅを構成する中央部の支柱１の下端部前面に前記支持台１５を取付部２７でネジ止めし、該支持台１５の上部に前記ガイドローラ６が垂直な回動軸で支持されている。更に詳しくは、前記支持台１５は正面視コ字形を有し、上板１５１に前記ガイドローラ６を回転可能に設けるとともに、下板１４２は後方に延びて前記取付部２７に連続している。前記取付部２７は、前記支柱１の前面と一側面に接合するＬ字状固定部２７１と該Ｌ字状固定部２７１の正面側下端から前方に延び、前記支持台１５の下板１４２に連続する接地板２７２とを有し、前記Ｌ字状固定部２７１を支柱１の前面にネジ２７３，２７３で固定するとともに、前記接地板２７２を適宜床面Ｆにネジ２７４にて固定する。
【００３３】
前記ガイドローラ６は、前記支持台１５を含めて前記引戸３の凹溝部１４の内部に受け入れられ、該引戸３の開閉動作時に凹溝部１４の前後壁面に当接して所定の直線軌道で移動するように案内している。ここで、前記吊支部材２６には、高さ調節機能と脱輪防止機能が備わっている。
【００３４】
また、前記引戸３の凹溝部１４の両終端のうち、戸先側終端は前記エッジ部材２４と凹溝部１４の上面とに取付けた端部金具２８となっており、戸尻側の終端は引戸３を構成する表面板の折り返し部分の内側に固定した端部金具２９となっている。前記端部金具２８の内側には緩衝部材３０を突設し、前記端部金具２９の内側にも緩衝部材３１を添設している。そして、前記引戸３の全閉時に前記支持台１５が前記端部金具２８に突設した緩衝部材３０に当接する。一方、前記引戸３を全開時には前記ガイドローラ６あるいは支持台１５は、通常の動作では前記緩衝部材３１に当接しないように間隔を開けている。これは、寸法誤差によって前記引戸３が全閉するより前に、前記緩衝部材３１が前記ガイドローラ６に接触するのを防止するためである。
【００３５】
また、３本の支柱１，…のうち中央部の前記支柱１（出入口Ｅを構成する）に施錠杆が前記引戸３の戸尻側に向けて出没する施錠具３２を設けるとともに、前記引戸３の戸尻側表面に施錠状態の施錠杆を押し戻して解除する解除機能と施錠機能を備える操作具３３を設けている。この施錠具３２と操作具３３からなる施錠装置は、引き違い戸錠とも呼ばれている。このように、吊下げ式の前記引戸３の戸尻側に引き違い戸錠を設けることができるのは、この施錠装置を設ける支柱１の下端近傍に配置したガイドローラ６で、該引戸３の開閉時の軌道を一定に保っているからである。
【００３６】
更に詳しくは、前記エッジ部材２４は、アルミ押出し型材であり、前記引手部２５，２５を表裏両面に突出しないように形成するとともに、端部にゴム製のクッション体３４を嵌着している。前記クッション体３４の出入口側の一側端には、戸先側の支柱１に引戸３が全閉時に当接する戸当り部３５を突設している。また、前記出入口Ｅに面する両支柱１，１の係合溝９，９には、カバー部材３６をそれぞれ装着して溝を塞いでいる。
【００３７】
更に、図６〜図８に示すように、前記レール部材４には、前記引戸３の上端と前記吊支部材２６，２６、吊車１３，１３及びレール１２等が隠れるように、断面逆Ｌ字状のレールカバー３７を取付けている。前記レールカバー３７は、垂直な化粧板３８とその上端に直角に形成した上カバー３９とからなり、該上カバー３９を前記レール部材４の上板１７の上面に凹凸嵌合させて重ね、両板をネジで連結して取付ける。こうして、前記レール部材４とレールカバー３７とで下方開放した箱状物が構成されるが、その両端に合成樹脂製の端部キャップ４０を装着している。
【００３８】
ここで、前記レール部材４の上板１７の上面基端側には溝部１７Ａを形成し、前記レールカバー３７の上カバー３９の下面端部に沿って形成した前後のリブ３７Ａ，３７Ａを嵌合するようになっている。また、前記上カバー３９の前側のリブ３７Ａの後側と、化粧板３８の背面下端に沿って断面Ｃ字形のＣ字形溝３７Ｂ，３７Ｂを形成している。そして、前記端部キャップ４０の内側面で上端後部と前下端の二箇所に突設したピン４０Ａ，４０Ａを前記Ｃ字形溝３７Ｂ，３７Ｂに嵌挿するとともに、上端後部に突設した取付片４０Ｂを前記上カバー３９の前後のリブ３７Ａ，３７Ａ間に挿入し、更に前記端部キャップ４０の内側面で前縁に沿って突設した板状の当止片４０Ｃを、前記レールカバー３７の化粧板３８の背面端縁に当止して仮固定する。それから、前記レールカバー３７を両端の端部キャップ４０，４０を仮固定した状態で、その上カバー３９を前記レール部材４の上板１７の上面に載置するとともに、両リブ３７Ａ，３７Ａとその間の取付片４０Ｂを溝部１７Ａに嵌合し、前記上カバー３９の通孔３７Ｃに上方から挿通したネジ３７Ｄを、前記取付片４０Ｂの通孔４０Ｄに貫通させて前記溝部１７Ａの底面の螺孔１７Ｂに螺合する。点検時に、両側の前記ネジ３７Ｄ，３７Ｄを外し、そのとき例え端部キャップ４０をレールカバー３７から抜き忘れても、該レールカバー３７をレール部材４から容易に取外すことができる。その際に、レールカバー３７に端部キャップ４０に仮固定されたままでも、合成樹脂製の端部キャップ４０が破損することがない。
【００３９】
本発明の引戸装置Ｂの動作とその他の構造について図１１及び図１２に基づいて説明する。図１１は、引戸３の全閉状態を示し、図１２は引戸３の全開状態を示している。前記引戸３は、間仕切壁Ａに対して引き違い状態で開閉するように構成している。そのため、既設の間仕切壁Ａの一部に後施工により構築することも可能である。また、既に従来タイプの引戸が設けられていた場所にも本発明の引戸装置に付け替えることができる。図１２において、前記引手部２５が露出するように引き残し幅を５ｃｍ以下に抑えることにより、前記クッション体３４と他方の支柱１との間に有効間口８０ｃｍ以上を確保するのである。
【００４０】
前記レール部材４の上板１７の下面で両端部寄り位置に所定長さのラック４１，４１を取付けるとともに、前記引戸３の両側部で前記吊車１３，１３の内側位置に回転ダンパー４２，４２を取付け、該回転ダンパー４２の軸に固定したピニオン４３を前記ラック４１に噛合するように構成している。つまり、前記引戸３を閉じるときには、全閉状態となる前から戸先側のピニオン４３が対応するラック４１に噛合して回転し、それにより回転ダンパー４２が抵抗の大きい方向に回転するので、引戸３の閉止動作が減速される。全閉状態から引戸３を開く場合には、当該回転ダンパー４２が抵抗の少ない方向に回転するので動作は軽い。一方、前記引戸３を開くときには、全開状態となる前から戸尻側のピニオン４３が対応するラック４１に噛合して回転し、それにより回転ダンパー４２が抵抗の大きい方向に回転するので、引戸３の開放動作が減速される。全開状態から引戸３を閉じる場合には、当該回転ダンパー４２が抵抗の少ない方向に回転するので動作は軽い。従って、前記引戸３を勢い良く開いても、閉じてもその終端では動作が減速されるのである。
【００４１】
また、前記レール部材４の基板１６には、図１１及び図１２に示すように、引戸３が全閉状態で戸先側の吊支部材２６を当止するストッパー４４を取付けている。このストッパー４４の取付位置は左右方向に微調整できるようになっており、前記戸当り部３５が戸先側の支柱１の側面に当接した際に、戸先側の吊支部材２６を正確に当止できるようにする。このように、ストッパー４４をレール１２の近傍に設けることにより、引戸３が全閉時に急停止した際の慣性力による面内回転力が生じないようになり、吊支部材２６の脱輪防止機能と併せて吊車１３がレール１２から外れることを防止できる。
【００４２】
通常は、前記引戸３が全開時には、戸当り部３５が戸先側の支柱１の側面に当接し、ストッパー４４に戸先側の吊支部材２６が当止して静止するが、勢いよく引戸３を閉じて前記戸先側の回転ダンパー４２で十分に減速されなかった場合、前記ストッパー４４を支点として引戸３の下部が戸先側支柱３の方向に回転し、戸先側の吊車１３がレール１２から外れようとするが、引戸３の戸尻側に設けた緩衝部材３１が、該引戸３が傾いたときにガイドローラ６あるいは支持台１５に当接するようにすることで、レール１２から吊車１３が外れることを防止することができる。
【００４３】
最後に、前記間仕切壁Ａの構造を図１３〜図１６に基づいて簡単に説明する。図１３に示すように、両支柱１，１の係合溝９，９にパネル体２の両端部を嵌合して保持する。ここで、前記パネル体２は、上下に複数に分割した分割パネル２Ａ，…を断面略Ｈ字形の横桟７Ａを介して上下方向に連結する。前記横桟７Ａは、中央部に偏平四角形の芯部４６を有し、上下に凹部４７，４７を有している。前記横桟７Ａの芯部４６の内部には、Ｌ字形金具４８の水平片４９を挿入して上方からネジ止めするとともに、Ｌ字形金具４８の垂直片５０を支柱１の係合溝９の段落部に嵌合し、側方からネジ止めする。そして、前記横桟７Ａの上下の凹部４７，４７には上下に位置する分割パネル２Ａ，２Ａの上下端部が嵌合して保持される。
【００４４】
図１４は、パネル体２が全て分割パネル２Ａ，…と横桟７Ａ，…で構成された実施例である。それに対して、図１５は、分割パネル２Ａ，２Ａとガラス板５１，５１を組み合わせたものである。分割パネル２Ａ，２Ａ同士は、前記横桟７Ａを用いて連結するが、分割パネル２Ａとガラス板５１とは横桟５２を用いる。この横桟５２には、上下一方に前記分割パネル２Ａを嵌合する凹部５３と他方にはガラス板５１を保持するための凹溝５４を有し、該凹溝５４にパッキン５５を介してガラス板５１を保持するようになっている。尚、ガラス板５１の両端は、前記支柱１の係合溝９に嵌合する樹脂製フレーム材と、該フレーム材に嵌合し、パッキン３５とは形状が異なるが取付方法が同様の別パッキンにて保持している。また、前記横桟５２も前記Ｌ字形金具４８で支柱１に連結する。
【００４５】
図１６は、全てガラス板５１，…で構成し、上下のガラス板５１，５１を横桟５６を介して上下に積層した構造である。前記横桟５６は、上下に凹溝５７，５７に前記同様のパッキン５５を介してガラス板５１を保持するようになっている。この場合も、ガラス板５１の両端は、前記支柱１の係合溝９に前記同様のパッキン５５を介して保持している。また、前記横桟５２も前記Ｌ字形金具４８で支柱１に連結する。
【００４６】
このように、前記横桟７Ａに加えて、分割パネル２Ａとガラス板５１を連結する横桟５２と、ガラス板５１，５１同士を連結する横桟５６を用いることにより、間仕切壁Ａを分割パネル２Ａやガラス板５１を組み合わせて構成した場合でも、各横桟７Ａ，５２，５６の上下幅を同じにすることにより、各横桟７Ａ，５２，５６が混在している場合でもそれらの間隔を一致させることができるので、分割パネル２Ａとガラス板５１の上下幅を揃え、横方向に連続的な外観とすることができる。
【図面の簡単な説明】
【００４７】
【図１】本発明に係る間仕切壁における引戸装置の簡略正面図である。
【図２】本発明の引戸装置の要部縦断面図である。
【図３】同じく引戸装置の要部横断面図である。
【図４】支柱とビーム部材とレール受け及びレール部材の関係を示す部分分解斜視図である。
【図５】ビーム部材を支柱間に取付け、レール受けをパネル体の前面上部で支柱間に取付けた状態の部分正面図である。
【図６】ビーム部材にレール部材及びレールカバーを取付けた状態の縦断面図である。
【図７】レール受けにレール部材及びレールカバーを取付けた状態の縦断面図である。
【図８】ビーム部材、レール部材及びレールカバーの関係を示す部分分解斜視図である。
【図９】出入口を構成する一対の支柱のうち、一方の支柱の下端部に支持台を取付けてガイドローラを設けた状態の部分斜視図である。
【図１０】引戸の下部の凹溝部と支持台及びガイドローラとの関係を示す部分正面図である。
【図１１】引戸の全閉状態を示し、（ａ）は簡略横断面図、（ｂ）は簡略正面図である。
【図１２】引戸の全開状態を示し、（ａ）は簡略横断面図、（ｂ）は簡略正面図である。
【図１３】間仕切壁の横断面図である。
【図１４】同じく間仕切壁の縦断面図である。
【図１５】分割パネルとガラス板を組み合わせた間仕切壁の縦断面図である。
【図１６】ガラス板のみで構成した間仕切壁の縦断面図である。
【符号の説明】
【００４８】
Ａ  間仕切壁、          Ｂ  引戸装置、
１  支柱、              ２  パネル体、
２Ａ  分割パネル、      ３  引戸、
４  レール部材、        ５  ビーム部材、
６  ガイドローラ、      ７  連結ビーム、
７Ａ  横桟、              ８  欄間パネル、
９  係合溝、            １０  天レール、
１１  巾木、            １２  レール、
１３  吊車、            １４  凹溝部、
１５  支持台、          １６  基板、
１７  上板、            １８  凹溝、
１９  突縁、            ２０  Ｌ字状金具、
２１  コ字状金具、      ２２  ネジ、
２３  凹溝、            ２４  エッジ部材、
２５  引手部、          ２６  吊支部材、
２７  取付部、          ２８  端部金具、
２９  端部金具、        ３０  緩衝部材、
３１  緩衝部材、        ３２  施錠具、
３３  操作具、          ３４  クッション体、
３５  戸当り部、        ３６  カバー部材、
３７  レールカバー、    ３８  化粧板、
３９  上カバー、        ４０  端部キャップ、
４１  ラック、          ４２  回転ダンパー、
４３  ピニオン、        ４４  ストッパー、
４６  芯部、            ４７  凹部、
４８  Ｌ字形金具、      ４９  水平片、
５０  垂直片、          ５１  ガラス板、
５２  横桟、            ５３  凹部、
５４  凹溝、            ５５  パッキン、
５６  横桟、            ５７  凹溝、
Ｅ  出入口、            Ｆ  床面、
Ｓ  天井。
【図１】
2009174293.tif 000003
【図２】
2009174293.tif 000004
【図３】
2009174293.tif 000005
【図４】
2009174293.tif 000006
【図５】
2009174293.tif 000007
【図６】
2009174293.tif 000008
【図７】
2009174293.tif 000009
【図８】
2009174293.tif 000010
【図９】
2009174293.tif 000011
【図１０】
2009174293.tif 000012
【図１１】
2009174293.tif 000013
【図１２】
2009174293.tif 000014
【図１３】
2009174293.tif 000015
【図１４】
2009174293.tif 000016
【図１５】
2009174293.tif 000017
【図１６】
2009174293.tif 000018